(57)【特許請求の範囲】
【請求項１】
給油ノズルにおける燃料油を吐出するノズル部を収納する収納部と、前記給油ノズルにおける操作レバーのガードの下端部を支持する支持部とを備えた給油ノズルの収納支持具であって、
前記支持部を前記収納部に対して水平軸まわりに回動可能に取り付けるヒンジ部と、
前記給油ノズルを掛けておく給油待機状態において、前記支持部が前記収納部に対して回転するのを阻止する固定機構と、
該固定機構により前記支持部の回転が阻止された状態を保持する保持機構と、前記支持部が回転し得ない状態から回転し得る状態となるのを許容し得る解除機構とを備えた給油ノズルの収納支持具。
【請求項２】
請求項１において、
前記固定機構は前記ヒンジ部に設けた係合要素で構成され、前記解除機構は支持部をヒンジ部の軸方向に移動自在とすることで前記係合要素の係合状態が解除されるのを許容し、前記保持機構は前記係合要素による係合状態を保つようにバネ力で前記支持部を軸方向に押圧付勢するバネ部材で構成されている給油ノズルの収納支持具。
【発明の詳細な説明】
【０００１】
【発明の属する技術分野】
本発明は、給油ノズルのノズル部を収納すると共に、給油ノズルを支持する給油ノズルの収納支持具に関するものである。
【０００２】
【従来の技術】
給油ノズルは、操作レバーを操作して、先端の筒状のノズル部から燃料油を吐出するものである。該給油ノズルは、燃料油を給油しない場合、計量ユニットの側面や正面等に設けた収納支持具に掛けた状態で載置されている。
【０００３】
【発明が解決しようとする課題】
ところで、計量ユニットは、内部の機器のメンテナンスを行なう必要があり、そのため、前面のパネルを開閉できるようにしている。また、側面の金属製のシース（化粧薄板）も取り外せるようになっている。一方、前記収納支持具は、操作レバーのガードの下端部を支持する支持部が、ノズル部を収納する収納部から斜め下方に大きく突出している。そのため、前記パネルを開閉したり、あるいはシースを取り外す際には、収納支持具も取り外す必要があり、メンテナンスが面倒になる。
【０００４】
本発明は前記従来の問題に鑑みてなされたもので、給油ノズルの収納支持具の構造を工夫することにより、計量ユニットのメンテナンス性を向上させることを目的とする。
【０００５】
【課題を解決するための手段】
前記目的を達成するために、本発明は、給油ノズルにおける燃料油を吐出するノズル部を収納する収納部と、給油ノズルにおける操作レバーのガードの下端部を支持する支持部とを備えた給油ノズルの収納支持具であって、支持部を収納部に対して水平軸まわりに回動可能に取り付けるヒンジ部と、給油ノズルを掛けておく給油待機状態において支持部が収納部に対して回転するのを阻止する固定機構と、該固定機構により支持部の回転が阻止された状態を保持する保持機構と、支持部が回転し得ない状態から回転し得る状態となるのを許容し得る解除機構とを備えている。
【０００６】
本発明によれば、計量ユニットのメンテナンスを行なう際には、解除機構により支持部が回転し得る状態とし、該支持部を水平軸のまわりに上方に回転させて、支持部を収納部側に倒しておく。この状態では、支持部が斜め下方に突出していないので、収納支持具を取り外すことなく、パネルやシースの取り外しを行うことができる。
【０００７】
【発明の実施の形態】
以下、本発明の一実施形態を図面にしたがって説明する。
図１（ａ）は計量ユニット１の外観図を示す。
計量ユニット１は、筐体１０の正面の上部に表示器１１を有していると共に、たとえば正面および２つの側面に給油ノズル２を掛けて置くための収納支持具３を備えている。計量ユニット１は、筐体１０内部に、図示しない燃料油の配管材、流量調整弁、電磁弁および制御装置などを備えており、給油ホース４を介して給油ノズル２から燃料油を吐出させるものである。
【０００８】
筐体１０は、図示しないフレームにシース１２（ステンレス製薄板や塗装鋼板などの化粧用薄板）、上パネル１３、中パネル１４および下パネル１５をネジ１６などで固定してなる。左右のシース１２は両側に取り外すことができ、また、この図に示すように上パネル１３は上方に回動させて開くことができるようになっている。一方、図２（ａ）に示すように、下パネル１５は下方に回動させて取り外すことができ、図２（ｂ）に示すように、中パネル１４は前方に開くことができるようになっている。
【０００９】
図３は収納支持具３を示す。
この図において、収納支持具３は、給油ノズル２における燃料油を吐出するノズル部２０を収納する収納部５と、給油ノズル２における操作レバー２１のガード２２の下端部を支持する支持部６と、図１（ｂ）の支持部６を収納部５に対して水平軸まわりに回動可能に取り付けるヒンジ部７とを備えている。
【００１０】
図３において、前記収納部５は、筐体１０（図１）の内方に向かって大きく窪んでおり、前記ノズル部２０を収納する収納空間Ｓを形成している。該収納部５は、図４（ａ）に示すように、四角いフランジ３１に設けた取付孔３２に皿小ネジ３３を挿通して、フレーム（図示せず）に固定されている。
【００１１】
図４（ａ）に示すように、収納部５の下部には、貫通孔５１が形成されている。一方、図３の収納部５の下部には給油ノズル２を検出するマイクロリミットスイッチ８が固定されている。前記給油ノズル２が収納支持具３に掛けられると、図示しない板材を介してカムが作動し、マイクロリミットスイッチ８はカムを検出することで、給油ノズル２が掛けられているか否かを検出する。
【００１２】
図３および図４（ａ）に示すように、支持部６は箱状で、給油ノズル２のガード２２（図３）に係合する係合凸部６０を有している。この係合凸部６０は給油ノズル２が不用意に落下するを防止するものでる。なお、６１はキーの取付ボス、図３の６２はドレン孔である。
【００１３】
図４（ｂ），（ｃ）はヒンジ部７の拡大断面図である。
該ヒンジ部７は、図３の収納部５の下端部の取付部７０Ａ，７０Ｂに、支持部６の上端部の被取付部７１Ａ，７１Ｂが、図４（ｂ）のボルト７２（水平軸）によって回動自在に取り付けられて構成されている。ボルト７２は、取付部７０Ａ，７０Ｂの雌ネジ部７３に螺合していることで固定されていると共に、その先端部７４が被取付部７１Ａ，７１Ｂの孔７５に嵌合している。該嵌合状態は、ボルト７２の先端部７４に対して支持部６が回転でき、かつ、軸方向に移動できる状態になっている。
【００１４】
一方の取付部７０Ａおよび被取付部７１Ａには、軸方向に段を有する係合部７０ａおよび被係合部７１ａ（係合要素）が形成されている。これらの係合部７０ａおよび被係合部７１ａは、給油ノズル２（図１）を掛けておく給油待機状態において互いにボルト７２の円周方向の双方に係合していることで、支持部６が収納部５に対して回転するのを阻止する固定機構３０を構成している。なお、図３の支持部６の上端部には、ストッパ面６３が設けられており、該ストッパ面６３が収納部５の下端部に当接している。
【００１５】
図４（ｂ）の他方の取付部７０Ｂおよび被取付部７１Ｂの間には、隙間Ｓｐが設けられていると共に、取付部７０Ｂと被取付部７１Ｂとを離反させる圧縮コイルスプリング３１が設けられている。この圧縮コイルスプリング３１は、取付部７０Ｂに対して被取付部７１Ｂを軸方向に押圧付勢することで、前記係合部７０ａと被係合部７１ａとの係合状態を保つものでる。すなわち、圧縮コイルスプリング３１は、固定機構３０により支持部６の回転が阻止された状態を保持する保持機構を構成している。なお、圧縮コイルスプリング３１は、被取付部７１Ｂに形成した収納孔７１ｂに収納されている。
【００１６】
前記支持部６はボルト７２の軸方向に隙間Ｓｐの分だけ移動自在にボルト７２に取り付けられている。したがって、図４（ｃ）のように、圧縮コイルスプリング３１のバネ力に抗して、支持部６を右側に移動させることで、係合部７０ａと被係合部７１ａの係合状態が解除される。すなわち、被取付部７１Ａ，７１Ｂがボルト７２に対して軸方向にスライド自在に取り付けられ、かつ、隙間Ｓｐが形成されていることで、解除機構が構成されている。
【００１７】
つぎに、図１の計量ユニット１のメンテナンスについて説明する。
メンテナンス時には、まず、計量ユニット１の主電源をＯＦＦにし、ついで、給油ノズル２を収納支持具３から取り外す。この後、図４（ｂ）の状態から図４（ｃ）のように、支持部６を圧縮コイルスプリング３１のバネ力に抗して隙間Ｓｐ側に若干移動させた状態とし、この状態で、図１（ｂ）のように、支持部６をボルト７２のまわりに上方に回転させて、支持部６を収納部５側に倒しておく。その後、図２（ａ），（ｂ）のように、ネジ１６を取り外して下パネル１５や中パネル１４を開き、計量ユニット１の内部のメンテナンスを行う。なお、図示していないが、シース１２もネジを取り外して側方に取り外すことができる。
【００１８】
このように、本計量ユニット１は、収納支持具３を取り外すことなく、計量ユニット１の内部のメンテナンスを行うことができる。したがって、メンテナンス性が向上する。
【００１９】
ところで、この種の計量ユニット１では、図３の給油ノズル２が不用意に落下するのを防止する必要があり、かかる観点から、ガード２２に係合する係合凸部６０を支持部６に設けている。一方、給油操作に先立って、給油ノズル２を収納支持具３から取り出す際には、前記係合凸部６０がガード２２に引っ掛かって、上方に回転する回転力が支持部６に加わることがある。この際、支持部６が回転すると、給油ノズル２を取り出す操作に支障を来す。これに対し、本計量ユニット１では、図４（ｂ）の固定機構３０により支持部６が回転するのを防止し得る上、圧縮コイルスプリング３１により支持部６が回転しない状態を保持できる。したがって、給油ノズル２を取り出す操作をスムースに行うことができる。
【００２０】
ところで、前記実施形態では、図４（ｂ）の係合部７０ａと被係合部７１ａとをボルト７２のまわりの双方向に係合させたが、本実施形態では、図３のストッパ面６３を設けているので、係合部７０ａと被係合部７１ａは支持部６が上方に回転するのを阻止するだけであってもよい。この場合、固定機構３０は、係合部７０ａ，被係合部７１ａおよびストッパ面６３で構成される。
【００２１】
【発明の効果】
以上説明したように、本発明によれば、計量ユニットのメンテナンス時には、支持部を収納部に対して回転させて、支持部が斜め下方に突出していない状態とすることができるから、給油ノズルの収納支持具を取り外さなくても、パネルやシースの取外しを行うことができる。一方、給油操作を行う際には、支持部が収納部に対して回転し得ない状態に保つことができるから、給油ノズルを収納支持具から取り出す時に、支持部が不用意に回転しないので、該取り出し操作に支障を来すおそれもない。
【図面の簡単な説明】
【図１】（ａ）は本発明にかかる計量ユニットの一実施形態を示す斜視図、（ｂ）は収納支持具の一部を示す斜視図である。
【図２】計量ユニットのメンテナンスの方法を示す斜視図である。
【図３】給油ノズルの収納支持具を示す一部断面した側面図である。
【図４】（ａ）は給油ノズルの収納支持具の正面図、（ｂ）および（ｃ）はヒンジ部を示す断面図である。
【符号の説明】
２：給油ノズル
２０：ノズル部
２１：操作レバー
２２：ガード
３：収納支持具
５：収納部
６：支持部
７：ヒンジ部
３０：固定機構
３１：圧縮コイルスプリング（保持機構）
７０ａ，７１ａ：係合要素
Ｓｐ：隙間（解除機構）
【図１】
0003580955.tif 000002
【図２】
0003580955.tif 000003
【図３】
0003580955.tif 000004
【図４】
0003580955.tif 000005